(57)【要約】【課題】  １次元データを基に被計数物を計数する計数装置は、被計数物の光学データ取得部位に汚れや損傷が存在する場合、同汚れや損傷により光の反射率が変化するなどして光学式センサによって取得される光学データの正確さが低下し、同光学データを基にする計数精度が低下する恐れがあるため、この１次元データを使用しつつ、正確な算出結果を得られる計数装置を提供できるようにする。【解決手段】  葉書等のカード類や封筒などの厚みの比較的小なる多数の被計数物を重ね合わせ、これら重ね合わせた前記被計数物の縁部に沿って、同被計数物の重ね方向の光学データを光学式センサによって取得して前記光学データから被計数物の数量を出力する計数装置において、前記光学センサを前記被計数物の縁部の長手方向における所定幅の光学データをも取得できるように構成した。【選択図】  図１
2009301091.tif 000002
【特許請求の範囲】
【請求項１】
葉書等のカード類や封筒などの厚みの比較的小なる多数の被計数物を重ね合わせ、これら重ね合わせた前記被計数物の縁部に沿って、同被計数物の重ね方向の光学データを光学式センサによって取得して前記光学データから被計数物の数量を出力する計数装置において、前記光学センサを前記被計数物の縁部の長手方向における所定幅の光学データをも取得できるように構成し、前記重ね方向の光学データの一部が前記被計数物の縁部における汚れや損傷によって毀損していても、前記縁部における長手方向の光学データにより補正されて正確な計数が行われるように構成してなる計数装置。
【請求項２】
前記光学式センサを、前記重ね方向に延びる１次元ラインセンサで構成してなる請求項１に記載の計数装置。
【発明の詳細な説明】
【技術分野】
【０００１】
本発明は、葉書等のカード類や封筒などの厚みが比較的小なる物を計数するための計数装置に関し、より詳しくは、被計数物に接触することなく被計数物を計数する計数装置に関する。
【背景技術】
【０００２】
従来の被計数物に接触することなく計数する計数装置には、計数装置の計数部に多数の被計数物を重ね合わせて載置し、これら重ね合わせた前記被計数物の縁部に沿って同被計数物の重ね方向の光学データを光学式センサによって取得し、前記光学データから被計数物の数量を出力するものがある（例えば、特許文献１参照）。
【０００３】
また前述の光学データは、データ処理に掛かる時間が短く高速計数に有利な１次元データを用いる場合が一般的である。
【０００４】
しかしながら１次元データでは所定ポイントの光学データを取得するため、被計数物の光学データ取得部位に汚れや損傷が存在する場合は、同汚れや損傷により光の反射率が変化するなどして光学式センサによって取得される光学データの正確さが低下し、同光学データを基にする算出結果の計数精度が低下する恐れがあった。
【０００５】
【特許文献１】特開平５−２７４４８７公報（第１〜５頁、図１〜８）
【発明の開示】
【発明が解決しようとする課題】
【０００６】
本発明は、データ処理に掛かる時間が短く高速計数に有利な１次元データを使用しつつ、正確な計数が行なわれる計数装置を提供できるようにした。
【課題を解決するための手段】
【０００７】
上述した課題を解決するために、本発明に係る計数装置は、葉書等のカード類や封筒などの厚みの比較的小なる多数の被計数物を重ね合わせ、これら重ね合わせた前記被計数物の縁部に沿って、同被計数物の重ね方向の光学データを光学式センサによって取得して前記光学データから被計数物の数量を出力する計数装置において、前記光学センサを前記被計数物の縁部の長手方向における所定幅の光学データをも取得できるように構成し、前記重ね方向の光学データの一部が前記被計数物の縁部における汚れや損傷によって毀損していても、前記縁部における長手方向の光学データにより補正されて正確な計数が行われるように構成したものとしてある。
【０００８】
また前記光学式センサを、前記重ね方向に延びる１次元ラインセンサで構成したものとしてある。
【発明の効果】
【０００９】
本発明の計数装置によれば、被計数物を重ね合わせ、これら重ね合わせた前記被計数物の縁部に沿って、同被計数物の重ね方向の光学データのみならず、同被計数物における縁部の長手方向における所定幅の光学データをも光学式センサによって取得するので、光学式センサが取得する被計数物における縁部の光学データは幅のある２次元データとなる。
【００１０】
したがって、光学式センサが前記被計数物の縁部の長手方向における所定幅の光学データをも取得できるように構成してあるので、被計数物における縁部の一部が汚れや損傷によって毀損していても、前記光学式センサによって取得される前記縁部における光学データは、例えば被計数物中一枚のそのデータ全部が欠落しているのではなく一部が欠落したデータとして取得することにより光学データを補正するので、正確な計数を行うことができる。
【発明を実施するための最良の形態】
【００１１】
以下、本発明の実施例を以下の図面に基づいて説明する。
図１は、装置内に備える光学式センサ１のセンシング部１ａが、同装置の載置テーブル２に設けた窓２ａから外部に臨むように配設している。
【００１２】
また光学式センサ１は被計数物の重ね方向に延びる１次元ラインセンサを用いており、同センシング部１ａはフォトトランジスターやフォトダイオードやＣＣＤ素子などにより構成する場合がある。
【００１３】
また載置テーブル２に設けた窓２ａは、計数する被計数物に合わせ、すなわち被計数物に存在する汚れや損傷の毀損状況に合わせて、光学式センサ１の動作方向である図中の矢印Ａ方向に拡大縮小できる構造とする場合もある。
この場合、光学式センサ１の移動範囲が拡大または縮小した窓２ａの上下幅に合うよう自動調整されるように構成するのが好ましい。
なお、光学式センサ１の駆動方法については公知のものが種々存在するので、詳細な説明は省略する。
【００１４】
図２は、計数装置の載置テーブル２上に、被計数物７を互いに重ね合わせてセットした状態を示している。
【００１５】
被計数物７の例としては、葉書をはじめ、遊戯カードやトレーディングカードやプリペイドカードなどの紙やプラスチック素材からなるカード、手形や小切手や商品券などの各種金券・証券、封筒、サック箱、通帳や小冊子、ＣＤやＤＶＤなどのジャケットなど厚みが比較的小なる物である。
【００１６】
被計数物７を重ね合わせ、これら重ね合わせた被計数物７における縁部の一辺を載置テーブル２に設けた窓２ａに向けて同載置テーブル２上にセットする。
【００１７】
また、載置テーブル２上にセットした被計数物７は側壁６（図６参照）と反対側に位置する押さえ板３で保持している。
【００１８】
そして、この押さえ板３を、計数装置の載置テーブル２にセットした被計数物７の重ね方向に移動可能に設けたり、あるいは計数装置と着脱可能に設ける場合がある。
【００１９】
図３は、一部に汚れが存在する被計数物７の縁部の長手方向における所定幅の光学式センサ１による光学データの取得形態を示していて、また同３図は、図２に示すようにセットした被計数物７の一枚を例として挙げている。
【００２０】
そして、光学式センサ１による被計数物７の縁部の長手方向における所定幅の光学データの取得は、図３に示すように、被計数物７の重ね方向に延びる一次元ラインセンサで構成した光学式センサ１が載置テーブル２に設けた窓２ａの下方部より上方部、すなわち図３（ａ）の位置より図３（ｂ）の位置に移動して前記縁部の光学データを取得する。
【００２１】
光学式センサ１の移動方向は、前記窓２ａの上方部より下方部に移動させる場合もあるし、また移動開始位置に復帰させる１往復としたり、さらには、光学データの取得状態により１往復半また２往復など複数回往復させて、被計数物７の縁部の長手方向における所定幅の光学データを取得するようにする場合もある。
【００２２】
図４は、図３において光学式センサ１により取得した前記被計数物７の縁部の長手方向における所定幅の光学データを示していて，本図４の光学データは、取得した光学データを基にして波形状に変換したものであり、前記被計数物７の縁部における長手方向の一部に存在した汚れが波形の欠落（落込み）として現れているものである。
【００２３】
したがって、光学式センサが前記被計数物７の縁部の長手方向における所定幅の光学データをも取得できるように構成してあるので、被計数物７における縁部の一部が汚れや損傷によって毀損していても、前記光学式センサ１によって取得される前記縁部における光学データは、例えば被計数物中一枚のそのデータ全部が欠落しているのではなく一部が欠落したデータとして取得することにより光学データを補正するので、正確な計数を行うことができる。
【００２４】
そして、図２に示すようにセットした被計数物７の中に、上述の図３、図４で示したような光学式センサ１による光学データの取得範囲内に汚れや損傷が存在する被計数物７が混入していた場合、光学式センサ１により取得する被計数物７の縁部の長手方向における所定幅の光学データは図５に示すような形態、すなわち、被計数物７の縁部の長手方向に幅がある２次元データの連続した重なりとなる。
【００２５】
前述の実施例では、光学式センサ１を被計数物７の縁部の長手方向のみに移動させるが、例えば光学式センサ自体を被計数物７の重ね方向に移動させる駆動装置を設けて走査したり、また一次元ラインセンサを被計数物７の縁部における長手方向に沿って延びるように設け、この一次元ラインセンサを被計数物７の重ね方向に移動させて走査したりするように構成する場合もある。
【００２６】
なお、図中の符号４は、計数装置による計数処理を開始させるためのスタートスイッチである。
【図面の簡単な説明】
【００２７】
【図１】本発明に係る計数装置を示す平面図。
【図２】被計数物をセットした計数装置を示す平面図。
【図３】光学データの取り込み形態を示す図。
【図４】図３において取り込まれた光学データを示す図。
【図５】通常使用において取り込まれた光学データを示す図。
【図６】本発明に係る計数装置を示す斜視図。
【符号の説明】
【００２８】
１  光学式センサ
１ａ  センシング部
２  載置テーブル
２ａ  窓
３  押さえ板
４  スタートスイッチ
５  ディスプレイ
６  側壁
７  被計数物
【図１】
2009301091.tif 000003
【図２】
2009301091.tif 000004
【図３】
2009301091.tif 000005
【図４】
2009301091.tif 000006
【図５】
2009301091.tif 000007
【図６】
2009301091.tif 000008